(57)【要約】【課題】狭いトイレ空間内においても、便座部と接続するコードを本体部と容易に且つ確実に着脱可能な便座装置を提供する。【解決手段】本体部２と、便座部３と、本体部２から便座部３に電力を供給するコード１３とを備えた便座装置１において、本体部２を覆う本体ハウジング７の側面７ａに、側方及び下方に開口した連結溝部２２を凹設するとともに、コード１３の本体部２接続側の端部１３ａには、本体ハウジング７の連結溝部２２の下端開口から上方にスライドして連結溝部２２内の所定の所定接続位置にて固定されるコード固定部１５とコードブッシュ部１４とから成る一体部材２０を備える。【選択図】        図１
2004254875.tif 000002
【特許請求の範囲】
【請求項１】
本体部と、便座部と、本体部から便座部に電力を供給するコードとを備えた便座装置において、本体部を覆う本体ハウジングの側面に、側方及び下方に開口した連結溝部を凹設するとともに、コードの本体部接続側の端部には、本体ハウジングの連結溝部の下端開口から上方にスライドして連結溝部内の所定の所定接続位置にて固定されるコード固定部を設けていることを特徴とする便座装置。
【請求項２】
コード固定部がコードブッシュ部を一体に備えていることを特徴とする請求項１記載の便座装置。
【請求項３】
コード固定部を連結溝部内の所定接続位置で仮固定する仮固定手段を備えていることを特徴とする請求項１又は２記載の便座装置。
【請求項４】
所定接続位置で固定されるコード固定部と連結溝部との間を密閉する防水手段を備えていることを特徴とする請求項１〜３のいずれか記載の便座装置。
【発明の詳細な説明】
【０００１】
【発明の属する技術分野】
本発明は便座装置に関し、詳しくは、本体部から便座部に電力を供給するコードの本体部側の固定構造に関する。
【０００２】
【従来の技術】
便座部に暖房装置が内蔵されているタイプの便座装置は、この暖房装置に本体部から電力を供給する為のコードを、便座部と本体部とを繋ぐように設けているのが一般的である（特許文献１参照）。このような従来の便座装置は、例えば図５や図６に示すように、便座部５２に一端を接続したコード５０の他端を本体部５１に接続固定する際に、コード５０の端部にあるコードブッシュ部５９を固定用部材５３に挟み込んだうえで、該固定用部材５３を本体部５１側の固定部５４に締結部材５５等で固定する構造であって、作業性の悪いものであった。
【０００３】
これに対して、図７〜図１０に示すように、コード５０の固定用部材５３とコードブッシュ部５９とを一体部材６０として作業性を向上させることが考えられるが、この場合に一体部材６０の固定用部材５３側から突設したつば部５６を本体部５１に引掛けたうえで１箇所で締結部材５５を締結させて固定する構造を用いると、一体部材６０が柔らかく形成してあればその固定用部材５３側が本体部５１から外れ易くなり、逆に硬く形成してあればそのコードブッシュ部５９側が変形し難くなって開いた状態の便座部５２をコード５０の引張り力で倒してしまうといった弊害が生じる。
【０００４】
そこで、一体部材６０は柔らかく形成すると共に、その固定部材５３側から突設するつば部５６を大きく設けて一体部材６０が本体部５１から外れ難くすることで上記弊害は解消されるが、この場合には、つば部５６が大きいので、本体部５１のハウジングを成す上ハウジング５７と下ハウジング５８とで一体部材６０を挟み込む構造となり、コード５０を交換する際には上ハウジング５７と下ハウジング５８とを一旦分解してコード５０を取り外し、別のコード（図示せず）を上下ハウジング５７，５８で挟み込んでハウジングを組み立て直すいった作業が必要となり、特に狭いトイレ空間においてこのような作業はコード５０の交換作業が面倒な原因となっていた。
【０００５】
【特許文献１】
特開２００２−２９４７９６号公報
【０００６】
【発明が解決しようとする課題】
本発明は上記の点に鑑みてなされたものであり、狭いトイレ空間内においても、便座部と接続するコードを本体部と容易に且つ確実に着脱可能な便座装置を提供することを課題とするものである。
【０００７】
【課題を解決するための手段】
上記課題を解決するために本発明を、本体部と、便座部と、本体部から便座部に電力を供給するコードとを備えた便座装置において、本体部を覆う本体ハウジングの側面に、側方及び下方に開口した連結溝部を凹設するとともに、コードの本体部接続側の端部には、本体ハウジングの連結溝部の下端開口から上方にスライドして連結溝部内の所定の所定接続位置にて固定されるコード固定部を設けていることを特徴としたものとする。このようにすることで、コード固定部を連結溝部の下端開口から挿入して上方にスライドさせるだけでコードと本体部とを接続させることができ、また、所定接続位置にあるコード固定部を下方にスライドさせれば連結溝部から取外すことができ、狭いトイレ空間内であってもコード交換時における本体部とコードとの着脱作業が容易且つ確実に行われるものである。
【０００８】
また、コード固定部がコードブッシュ部を一体に備えたものとしてもよい。このようにすることで、便座部の開閉に伴ってコードと本体部との接続箇所に生じる応力集中がコードブッシュ部により防止されるとともに、このように一体部材としてあることからコードブッシュ部とコード固定部との取付作業が不要であり、更に、コードブッシュに柔軟性をもたせる為にコードブッシュ部を含めてこの一体部材全体を柔らかく形成し、コード固定部には本体部に引っ掛ける為の大きなつば部を形成した場合であっても、本体ハウジングを一旦分解する必要なくコード固定部を連結溝部内の下方からスライドして所定接続位置に配することができるので、本体部とコードとの着脱作業が容易且つ確実に行われるものである。
【０００９】
また、コード固定部を連結溝部内の所定接続位置で仮固定する仮固定手段を備えたものとしてもよい。このようにすることで、コード固定部を連結溝部内の所定接続位置で固定する際に、コードやコード固定部を手で押えておく必要がなくなり、組立工程での作業性が向上するものである。
【００１０】
また、所定接続位置で固定されるコード固定部と連結溝部との間を密閉する防水手段を備えたものとしてもよい。このようにすることで、湿度の高いトイレ空間内においても本体部内への水分の侵入が防止されるとともに、内部結露が防止されるものである。
【００１１】
【発明の実施の形態】
以下、本発明を添付図面に示す実施の形態に基づいて説明する。本発明の実施の形態における一例の便座装置１は、貯湯タンクや局部洗浄ノズルや電気回路等（図示せず）を備える本体部２と、暖房用の発熱装置５を内蔵した便座部３と、この便座部３を開閉する便蓋部４とで主体を構成したものである。本例の便座装置１には、本体部２から便座部３内の発熱装置５に電力供給する為のコード１３を備えており、コード１３の一端側を便座部３の外殻を成す便座ハウジング６の側面６ａに接続固定するとともに、他端側を本体部２の外殻を成す本体ハウジング７の側面７ａに接続固定するようになっている。
【００１２】
本体ハウジング７は、下方に開口した上ハウジング８と、上方に開口した下ハウジング９とを、互いの開口部分を嵌め合わせることで組み立てたものである。上ハウジング８の側面８ａの下端には、側方及び下方に開口した切欠部１０を形成しており、この切欠部１０の上部には上ハウジング８内部（即ち組立て時の本体ハウジング７内部）に連通する接続穴１１を設けている。なお、切欠部１０は、外部から見て外形を成す外部側切欠１０ａと、これより大きく切欠いた内部側切欠１０ｂとが連通して成る二段構造のものであり、内部側切欠１０ｂの外部側切欠１０ａよりも大きく切欠かれた部分が、切欠部１０における凹状の係止部１２となっている。
【００１３】
また、本体ハウジング７の下部分を成す下ハウジング９の側面９ａには、側方及び上下方に開口した溝部２１を形成しており、上ハウジング８と下ハウジング９との組み合わせ時に切欠部１０の下端開口と溝部２１の上方開口とが連通し、切欠部１０と溝部２１とが一体となって、側方及び下方に開口した連結溝部２２が形成されるものである。なお、溝部２１の幅は、切欠部１０の内部側切欠１０ｂの幅と略一致させている。
【００１４】
コード１３の本体部１との接続側の端部１３ａには、コードブッシュ部１４とコード固定部１５とを一体成型して成る一体部材２０を固定している。ここで、コードブッシュ部１４は、便座部３の開閉に伴いコード１３と本体部１との接続箇所に生じる応力集中を防止する為にコード１３の端部１３ａを覆う屈曲した円管状の部分であり、コード固定部１５は、コード１３を本体部１に接続固定させる為にコードブッシュ部１４の本体部１との接続側端部に一体形成した大略直方体の部分である。
【００１５】
図２にも示すように、コード固定部１５は、その外周部のうち下端部分を除く略全周の部分（即ち、両側端部分及び上端部分）１８の本体部１との接続側半部１８ｂには大型のつば部１７を突設しており、外周部のうち下端部分を除く略全周を、コード１３との接続側半部１８ａとつば部１７とによる、二段構造に形成している。また、コード固定部１５の下端には連結穴部１６を上方に切欠いて形成している。ここで、つば部１７を除いたコード固定部１５の幅Ｗ１は切欠部１０の上部側切欠１０ａの幅Ｗ３と略一致させており、つば部１７を含むコード固定部１５全体の幅Ｗ２は、連結溝部２２の下側部分を成す溝部２１の幅（連結溝部２２の上側部分を成す切欠部１０の内部側切欠１０ｂの幅）Ｗ４と略一致させている。
【００１６】
しかして、本体ハウジング７に凹設した上記連結溝部２２（即ち、下ハウジング９の溝部２１）の下端開口から一体部材２０のコード固定部１５を挿入し、連結溝部２２内においてつば部１７と溝部２１との摺接によるガイドに従って上方へとスライドさせていくと、コード固定部１５の外周部１８のコード１３との接続側半部１８ａが、切欠部１０の外部側切欠１０ａと嵌合して上方へのスライドが停止される。この停止位置で、つば部１７が連結溝部２２の係止部１２内に嵌合した状態となり、コード１３の端部１３ａが接続穴１１を介して本体部１内部に接続される状態となるものである。上記の停止位置が連結溝部２２内の所定接続位置であり、一体部材２０をこの所定接続位置に保持しながら、コード固定部１５の下端に設けた締結穴部１６を介してねじ等の締結部材１９を本体ハウジング７に締結して固定する。
【００１７】
このものにおいては、コードブッシュ部１４とコード固定部１５とを一体成型して成型部材２０としていることから両者１４，１５を取付ける作業が不要であるとともに、この一体部材２０全体を例えばエラストマーで軟質に形成してコードブッシュ部１４での柔軟性を確保するとともに、コード固定部１５からは大型のつば部１７を突設してこれを係止部１２に引掛けることで締結部材１６を１箇所で締結させるだけで成型部材２０を容易且つ確実に本体部２に固定可能となっており、更に、このような大型のつば部１７を有する成型部材２０を連結溝部２２の下端開口から上方にスライドさせて固定するだけで所定接続位置に着脱自在に取付けることができるので、狭いトイレ空間内でも本体ハウジング７を分解する等の面倒な作業を要さず容易にコード１３の交換を行うことができるものである。なお、締結部材１９を用いた固定箇所は上記１箇所に限定されるものではない。
【００１８】
また、図３に示すように、一体部材２０のコード固定部１５の両側端に、凸状の係止部２３を形成し、一体部材２０が連結溝部２２内の所定接続位置にあるときに、上記係止部２３が本体ハウジング７の上ハウジング８と下ハウジング９との間に凹状に形成される被係止部（図示せず）に係止されるようにしても良い。この場合、上記の係止部２３及び被係止部が、コード固定部１５を連結溝部２２内の所定接続位置で仮固定する仮固定手段となり、締結部材１９等で固定する際にコード１３や一体部材２０を手で押えておく必要がなくなって組立工程での作業性が更に向上することとなる。
【００１９】
また、図４に示すように、コード固定部１５の外周部のうち、本体ハウジング７の切欠部１０の外部側切欠１０ａと嵌合する部分（即ち、コード１３との接続側半部１８ａ）には、隙間詰め用突起２４をその全周に亘り形成しており、一体部材２０を所定接続位置に固定した際にコード固定部１５と本体ハウジング７との間が水密構造となるようにしても良い。この場合、上記の隙間詰め用突起２４が、所定接続位置で固定されるコード固定部１５と連結溝部２２との間を密閉する防水手段となり、湿度の高いトイレでの使用においても本体部２内への水分の侵入が防止されたり、内部結露が防止されるといった効果が得られるものである。
【００２０】
【発明の効果】
上記のように請求項１記載の発明にあっては、コード固定部を連結溝部の下方開口から挿入して上方にスライドさせるだけでコードと本体部とを接続させることができ、また、所定接続位置にあるコード固定部を下方にスライドさせれば連結溝部から取外すことができ、狭いトイレ空間内であってもコード交換時における本体部とコードとの着脱作業が容易且つ確実に行われるという効果がある。
【００２１】
また、請求項２記載の発明にあっては、請求項１記載の発明の効果に加えて、便座部の開閉に伴ってコードと本体部との接続箇所に生じる応力集中がコードブッシュ部により防止されるとともに、一体部材としてあることからコードブッシュ部とコード固定部との取付作業が不要であり、更に、コードブッシュに柔軟性をもたせる為にコードブッシュ部を含めてこの一体部材全体を柔らかく形成し、コード固定部には本体部に引っ掛ける為の大きなつば部を形成した場合であっても、本体ハウジングを一旦分解する必要なくコード固定部を連結溝部内の下方からスライドして所定接続位置に配することができるので、本体部とコードとの着脱作業が容易且つ確実に行われるという効果がある。
【００２２】
また、請求項３記載の発明にあっては、請求項１又は２記載の発明の効果に加えて、コード固定部を連結溝部内の所定接続位置で固定する際に、コードやコード固定部を手で押えておく必要がなくなり、組立工程での作業性が向上するという効果がある。
【００２３】
また、請求項４記載の発明にあっては、請求項１〜３のいずれか記載の発明の効果に加えて、湿度の高いトイレ空間内においても本体部内への水分の侵入が防止されるとともに、内部結露が防止されるという効果がある。
【図面の簡単な説明】
【図１】本発明の実施の形態における一例の便座装置のコードと本体部との接続構造を示す説明図である。
【図２】同上のコードに接続される一体部材を示す説明図である。
【図３】同上の一体部材に仮固定手段を備えた場合を示す説明図である。
【図４】同上の一体部材に防水手段を備えた場合を示す説明図である。
【図５】従来の便座装置を示しており、（ａ）は平面図、（ｂ）は側面図である。
【図６】図５（ｂ）の主要部拡大図である。
【図７】従来の他の便座装置を示しており、（ａ）は平面図、（ｂ）は側面図である。
【図８】図７（ｂ）の主要部拡大図である。
【図９】同上の便座装置のコードと本体部との接続構造を示す説明図である。
【図１０】同上のコードに接続される一体部材を示す説明図である。
【符号の説明】
１  便座装置
２  本体部
３  便座部
７  本体ハウジング
７ａ  側面
１３  コード
１４  コードブッシュ部
１５  コード固定部
２０  一体部材
２２  連結溝部
２３  係止部
２４  隙間詰め用突起
【図１】
2004254875.tif 000003
【図２】
2004254875.tif 000004
【図３】
2004254875.tif 000005
【図４】
2004254875.tif 000006
【図５】
2004254875.tif 000007
【図６】
2004254875.tif 000008
【図７】
2004254875.tif 000009
【図８】
2004254875.tif 000010
【図９】
2004254875.tif 000011
【図１０】
2004254875.tif 000012